(57)【要約】【課題】本発明は混合無線ネットワークにおける制御信号オーバヘッドの減少方法を提供する。【解決手段】第一端末が混合無線ネットワークの無線フレームを受信して、前記受信した無線フレームが無線チャネル予約制御フレームであるかどうかを判断するステップと、受信した無線フレームが無線チャネル予約制御フレームである場合、第一端末は無線チャネル予約制御フレーム中の持続時間領域の値を読み取り、前記持続時間領域の値によって、前記第一端末のネットワーク割当ベクトルの代わりに、前記第一端末のチャネル保留時間タイマを更新するステップと、第一端末は、データフレームを送信する前に、チャネル保留時間タイマの余剰時間がデータフレーム送信に必要な時間より長いかどうかを判断するステップと、前記チャネル保留時間タイマの余剰時間がデータフレーム送信に必要な時間より長い場合、前記第一端末は無線チャネル予約制御フレームを送信しなく、直接的に前記データフレームを送信するステップとを含む。【選択図】図３
2009278622.tif 000002
【特許請求の範囲】
【請求項１】
第一端末が混合無線ネットワークの無線フレームを受信して、前記受信した無線フレームが無線チャネル予約制御フレームであるかどうかを判断するステップと、
受信した無線フレームが無線チャネル予約制御フレームである場合、第一端末は無線チャネル予約制御フレーム中の持続時間領域の値を読み取り、前記持続時間領域の値によって、前記第一端末のネットワーク割当ベクトルの代わりに、前記第一端末のチャネル保留時間タイマを更新するステップと、
第一端末は、データフレームを送信する前に、チャネル保留時間タイマの余剰時間がデータフレームの送信に必要な時間より長いかどうかを判断するステップと、
前記チャネル保留時間タイマの余剰時間がデータフレーム送信に必要な時間より長い場合、前記第一端末は無線チャネル予約制御フレームを送信しなく、直接的に前記データフレームを送信するステップとを含むことを特徴とする混合無線ネットワークにおける制御信号オーバヘッドの減少方法。
【請求項２】
前記チャネル保留時間タイマの余剰時間がデータフレーム送信に必要な時間より長くない場合、前記第一端末は無線チャネル予約制御フレームを送信するステップをさらに含むことを特徴とする請求項１に記載の混合無線ネットワークにおける制御信号オーバヘッドの減少方法。
【請求項３】
混合無線ネットワークの第二端末は無線チャネル予約制御フレームを受信した場合、無線チャネル予約制御フレーム中の持続時間領域の値によって前記第二端末のネットワーク割当ベクトルを更新し、更新したネットワーク割当ベクトルの中にバックオフ状態にあるステップをさらに含むことを特徴とする請求項１に記載の混合無線ネットワークにおける制御信号オーバヘッドの減少方法。
【請求項４】
第一端末は無線チャネル予約制御フレームを受信した場合、次の式によって自身のチャネル保留時間タイマを更新し、
Ｎｅｗ＿Ｃｏｕｎｔｅｒ＿Ｖａｌｕｅ＝ＭＡＸ（Ｃｕｒ＿Ｄｕｒａｔｉｏｎ＿Ｖａｌｕｅ，Ｃｕｒ＿Ｃｏｕｎｔｅｒ＿Ｖａｌｕｅ）
ここで、Ｎｅｗ＿Ｃｏｕｎｔｅｒ＿Ｖａｌｕｅがチャネル保留時間タイマの更新値で、Ｃｕｒ＿Ｄｕｒａｔｉｏｎ＿Ｖａｌｕｅが受信した無線チャネル予約制御フレームのｄｕｒａｔｉｏｎ領域が指示する値で、Ｃｕｒ＿Ｃｏｕｎｔｅｒ＿Ｖａｌｕｅが時間保留タイマの現在のカウント値であることを特徴とする請求項１に記載の混合無線ネットワークにおける制御信号オーバヘッドの減少方法。
【請求項５】
第一端末は、データフレームの前に、混合無線ネットワーク中の業務のロード状況に応じて無線チャネル予約制御フレーム内の持続時間領域の値を設定するステップをさらに含むことを特徴とする請求項１に記載の混合無線ネットワークにおける制御信号オーバヘッドの減少方法。
【請求項６】
さらに、第一端末は無線チャネル予約制御フレーム内の持続時間領域の値を設定した後、次の式によって自身のチャネル保留時間タイマのカウント値を更新するステップを含む、
Ｎｅｗ＿Ｃｏｕｎｔｅｒ＿Ｖａｌｕｅ＝Ｐｒｏｔｅｃｔｉｏｎ＿Ｄｕｒａｔｉｏｎ＿Ｖａｌｕｅ
その中に、Ｐｒｏｔｅｃｔｉｏｎ＿Ｄｕｒａｔｉｏｎ＿Ｖａｌｕｅが第一端末は無線チャネル予約制御フレーム内のｄｕｒａｔｉｏｎ領域内の設定値であることを特徴とする請求項５に記載の混合無線ネットワークにおける制御信号オーバヘッドの減少方法。
【請求項７】
次の式で前記Ｐｒｏｔｅｃｔｉｏｎ＿Ｄｕｒａｔｉｏｎ＿Ｖａｌｕｅを計算するステップをさらに含み、
Ｐｒｏｔｅｃｔｉｏｎ＿Ｄｕｒａｔｉｏｎ＿Ｖａｌｕｅ＝Ｍ＊（ＯＲＩ＋ＡＢＤ）
その中に、Ｍが混合無線ネットワーク中の第一端末の個数で、ＯＲＩが第一端末の今回の送信に必要な時間で、ＡＢＤが第一端末の平均バックオフ時間であることを特徴とする請求項６に記載の混合無線ネットワークにおける制御信号オーバヘッドの減少方法。
【請求項８】
次の式でＡＢＤの値を計算し、
（ＣＷmin＋ＣＷmax）＊Ｔｉｍｅ＿Ｓｌｏｔ／２
その中に、Ｔｉｍｅ＿Ｓｌｏｔがシングルタイムスロットの長さで、ＣＷminが最小コンテンションウインドウで、ＣＷmaxが最大コンテンションウインドウであることを特徴とする請求項６に記載の混合無線ネットワークにおける制御信号オーバヘッドの減少方法。
【請求項９】
前記混合無線ネットワークは、８０２．１１ｇ規格に合う無線ＬＡＮと８０２．１１ｂ規格に合う無線ＬＡＮを含めることを特徴とする請求項１から８のいずれかに記載の混合無線ネットワークにおける制御信号オーバヘッドの減少方法。
【請求項１０】
前記第一端末は８０２．１１ｇ無線ＬＡＮに使う端末設備であり、前記第二端末は８０２．１１ｂ無線ＬＡＮに使う端末設備であることを特徴とする請求項１から８のいずれかに記載の混合無線ネットワークにおける制御信号オーバヘッドの減少方法。
【請求項１１】
送信するフレームのタイプを判断し、このフレームタイプ、及びこのタイプの業務の無線ネットワーク内の品質状況に応じて、対応する持続時間値及び関連するタイプ領域を設定する送信設備と、
受信したフレームのタイプを判断するフレームタイプ識別装置と、
チャネル保留時間タイマを設定しており、前記フレームタイプ識別装置から供給したフレームタイプを受信し、受信したフレームタイプが無線チャネル予約制御フレームである場合、前記第一端末のネットワーク割当ベクトルを更新しなく、前記持続時間領域値によって前記チャネル保留時間タイマを更新する無線チャネル予約制御フレーム処理装置と、
混合無線ネットワーク中の端末からのデータフレームと無線チャネル予約制御フレームを受信し、受信したデータフレームのタイプ、及びこのタイプの業務の無線ネットワーク内の品質状況に応じて、対応するネットワーク割当ベクトルを更新する受信設備とを含むことを特徴とする混合無線ネットワークにおける制御信号オーバヘッドを減少する移動端末装置。
【請求項１２】
前記送信設備は、
高位層から到達するデータパケットを記憶したり、データパケットのタイプを判断したり、データパケットをデータフレームにカプセル化する送信記憶装置と、
当該移動端末装置が無線チャネルに接続してデータフレームを送信できるかどうかを判断するチャネル接続装置と、
カプセル化されたデータフレームを送信する送信装置とをさらに含むことを特徴とする請求項１１に記載の混合無線ネットワークにおける制御信号オーバヘッドを減少する移動端末装置。
【請求項１３】
前記受信設備は、
当該移動端末装置がデータパケットを送信しない場合、無線ネットワークのチャネルを検知し、チャネルがビジーであると検知した場合、受信装置を起動してデータの受信を用意するチャネル検知装置と、
無線チャネルからのデータを受信し、受信したデータを受信処理装置に送って判断する受信装置と、
データパケットを成功裏に受信したかどうか、及び受信したデータパケットのタイプを判断する受信処理装置とをさらに含むことを特徴とする請求項１１に記載の混合無線ネットワークにおける制御信号オーバヘッドを減少する移動端末装置。
【発明の詳細な説明】
【技術分野】
【０００１】
本発明は、混合無線ネットワークにおける制御信号オーバヘッドの減少方法と装置に関するものであり、特に、データと音声を混合する無線ＬＡＮ（ＷＬＡＮ）において、混合無線ＬＡＮの音声業務容量と品質を向上する方法と装置に関するものである。
【背景技術】
【０００２】
無線ＬＡＮでの音声業務の応用に伴って、無線ＬＡＮ自身の制御オーバヘッドが大きいことは問題となっている。これは無線ＬＡＮの音声容量を影響している主な原因である。
【０００３】
今の無線ＬＡＮにおいては、ＩＥＥＥ８０２．１規格を利用して無線ＬＡＮにおけるメディアアクセス制御（ＭＡＣ）層と物理層の特徴を決める。その中に、ＭＡＣ層プロトコルは、通信にアクセスポイントの関与があるかどうかによって、非衝突通信期間（ＣＦＰ，  Ｃｏｎｔｅｎｔｉｏｎ  Ｆｒｅｅ  Ｐｅｒｉｏｄ）に使う集中制御機能（ＰＣＦ，  Ｐｏｉｎｔ  ｃｏｏｒｄｉｎａｔｉｏｎ  Ｆｕｎｃｔｉｏｎ）と、衝突通信期間（ＣＰ，  Ｃｏｎｔｅｎｔｉｏｎ  Ｐｅｒｉｏｄ）に使う分散制御機能（ＤＣＦ，  Ｄｉｓｔｒｉｂｕｔｅｄ  Ｃｏｏｒｄｉｎａｔｉｏｎ  Ｆｕｎｃｔｉｏｎ）を定義している。ＰＣＦは、ランダムアクセスプロトコル技術に利用するポーリングメカニズムを提供し、アクセスポイントからその通信範囲内のすべての端末をポーリングして非衝突送信を実現する。もっと一般的なアクセスポイント（ＡＰ）無しの通信環境では、ＤＣＦは搬送波感知多重アクセス／衝突回避（ＣＳＭＡ／ＣＡ）プロトコルを採用し、ネットワークにおける各端末によりチャネルに接続するかどうかを独立に決定し、また、接続失敗の場合には、バックオフプロセスに入り改めてチャネルに接続する。したがって、更に柔軟的な無線通信プロトコルを提供する。
【０００４】
ＤＣＦは、各独立端末の間において公平且つ有効的に無線チャネルを共有し、データパケットの衝突を減らすために、送信要求パケット／受信準備完了パケット／データパケット／応答パケット（ＲＴＳ／ＣＴＳ／ＤＡＴＡ／ＡＣＫ）に基づくハンドシェークプロセスを定義し、各端末において独立設定のネットワーク割当ベクトル（ＮＡＶ）を結合してシステム性能を更に向上している。しかし、実際の無線ＬＡＮにおいては、ＤＣＦはハンドシェークプロセスをデータパケット／応答パケット（ＤＡＴＡ／ＡＣＫ）になるように簡易化して、ＲＴＳ／ＣＴＳのハンドシェークプロセスを省略する。
【０００５】
図１は現在技術におけるＤＣＦプロセスを示す。図１に示すように、無線ネットワークのある端末がソースノードとしてデータを送信しようとする時に、当該端末はチャネルを検知する。検知したチャネルはアイドル状態であり、且つ、アイドル時間は図１に示すＤＣＦフレーム間隔（ＤＩＦＣ）に等しいかそれより長い場合、直ちにデータパケットを送信する。逆に、チャネルはビジー状態であり、または、アイドル時間はＤＩＦＣまでにならない場合、チャネルが使用中と検知する。当該端末は、チャネルがアイドル状態になり、且つ、アイドル時間がＤＩＦＣに等しくなってから、バックオフ（Ｂａｃｋｏｆｆ）プロセスに入る。当該端末は、バックオフプロセスを完了すると、そのデータパケットを送信する。データパケットには、送信端末アドレス（ＴＡ，  Ｔｒａｎｓｍｉｔｔｅｒ  Ａｄｄｒｅｓｓ）、受信端末アドレス（ＲＡ，  Ｒｅｃｅｉｖｅｒ  Ａｄｄｒｅｓｓ）、及びその後のパケット送信に必要な持続時間（Ｄｕｒａｔｉｏｎ）を含む。この持続時間の値は、その後の一つのＡＣＫパケットの送信時間と一つの短フレーム間隔（ＳＩＦＳ，  Ｓｈｏｒｔ  Ｉｎｔｅｒｆｒａｍｅ  Ｓｐａｃｅ）の時間の和である。ターゲットノードとする受信端末は、データパケットを正しく受信し、一つの短フレーム間隔（ＳＩＦＳ）を待った後、一つの応答パケット（ＡＣＫ,  ＡＣＫＮＯＷＬＥＤＧＥＭＥＮＴ）を返信して確認する。
【０００６】
ネットワークのある端末が、ソースノードから送信したデータパケットに含まれる受信端末アドレスと一致する場合、この端末をターゲット受信端末として選ばれる。ターゲット受信端末は、データパケットを正しく受信し一つの短フレーム間隔（ＳＩＦＳ）を待った後、ソースノードへ一つの応答パケット（ＡＣＫ,  ＡＣＫＮＯＷＬＥＤＧＥＭＥＮＴ）を返信して確認する。これと同時に、端末間のパケット衝突を避けるために、ソースノードの通信範囲内において、データパケットの受信に成功したすべての非ターゲット端末（その他の端末）が、データパケットを受信した後、パケット内のＤｕｒａｔｉｏｎ値を現在のＮＡＶ値と比較して、その比較結果の大きい値でＮＡＶを更新し、また、すべての端末はそのＮＡＶ値が０になる時のみ、競争してチャネルに接続することを約束する。このように、ＮＡＶを導入して無線資源を擬似保留することによって、現在の通信端末から通信範囲内の他の端末へのパケット接続を抑制し、データパケットの無衝突送信をある程度に保障できる。
【０００７】
ＩＥＥＥ８０２．１１規格が無線ＬＡＮにおいてできるだけのデータ送信を設計したが、異なる優先度の業務、たとえば、音声、映像、又はデータのネットワークでの異なる業務品質を保証し難い。つまり、ＩＥＥＥ８０２．１１規格に従えば、現在の無線ＬＡＮにおいて、音声映像などの高優先度のリアル業務の品質を有効に保証できない。
【０００８】
前記の問題を解決するため、ＤＣＦに対して、８０２．１１は更に「エンハンスメント分散型チャネルアクセス」（ＥＤＣＡ）と言うアクセス方式によってＤＣＦの機能を拡張した。ＥＤＣＡ方式には、４種類のアクセスタイプを指定している。各タイプはそれぞれのデータタイプに対応する。各アクセスタイプは次のような三つのパラメータを設定している。ＣＷminが最小コンテンションウインドウを表し、ＣＷmaxが最大コンテンションウインドウを表し、ＡＩＦＳが調停フレーム送信間隔を表す。
【０００９】
ＤＣＦを使う時、送信待ちのデータを有するノードが、メデイアのアイドル状態になってからそのデータを送信できる。
【００１０】
図２は８０２．１１ｅ規格に従う従来技術におけるＥＤＣＡの動作プロセスを示す。図２に示すように、データを送信しようとする送信機が別の時間段を待つ。余分の時間段の長さがデータを送信しようとするタイプによって違う。このようなデータアクセスタイプに合わせて設定したＡＩＦＳ値によって、余分の待ち時間段を定義している。
【００１１】
８０２．１１規格の後、ＩＥＥＥはまた８０２．１１ｇ規格を提出した。既に存在する８０２．１１ａと８０２．１１ｂ規格に対して、８０２．１１ｇ規格はよい補充となる。８０２．１１ｇの設備が、８０２．１１ａと同じ５４Ｍｂｐｓ高伝送速度を提供する時に、完全に今主流となる８０２．１１ｂ設備のバックワードコンパチビリティビリティとなる。これで、過去の投資を保護し、設備のバージョン‐アップの費用を省く、技術とマーケットの継続性を維持しながら、ユーザの需要をもっと満たせる。
【００１２】
従来の８０２．１１ｂ／ｇ混合の無線ＬＡＮの環境において、８０２．１１ｂに使う端末設備と８０２．１１ｇに使う端末設備の物理受信機の差別を考慮した上で、８０２．１１ｇ規格ではＣＴＳ‐ｔｏ‐ｓｅｌｆフレームの保護メカニズムを提出して、８０２．１１ｂに使う端末設備と８０２．１１ｇに使う端末設備の間の協調、及び異なる物理構成の端末間のコンパチビリティを実現する。ＣＴＳ‐ｔｏ‐ｓｅｌｆフレームは、本質的に８０２．１１ｇ設備から送信する識別可能な無線チャネル予約制御フレームである。８０２．１１ｂ設備がＣＴＳ‐ｔｏ‐ｓｅｌｆフレームを利用してその後のデータ送信のためチャネルを保留する。実際に、ＣＴＳ‐ｔｏ‐ｓｅｌｆフレームは、無線チャネル予約制御フレームである。ＣＴＳ‐ｔｏ‐ｓｅｌｆフレームの導入によって、ネットワークの音声容量に厳重なフェージングが現われる。
【００１３】
図３は混合無線ＬＡＮにおいて無線チャネル予約制御フレーム、即ち、ＣＴＳ‐ｔｏ‐ｓｅｌｆフレームを加えた場合の制御メカニズムを示す。図３に示すように、仮に、端末ＡとＣが８０２．１１ｇに使う端末設備とし、Ｂが８０２．１１ｂに使う端末設備とする。８０２．１１ｇに使うノード（端末Ａ）がデータを送信しようとする場合、端末ＡはまずＣＴＳ‐ｔｏ‐ｓｅｌｆフレームを送信して、ほかのノードのネットワーク割当ベクトル（ＮＡＶ）値を更新し、チャネルの利用を用意する。ＣＴＳ‐ｔｏ‐ｓｅｌｆフレームは、８０２．１１ｂに使う端末設備によって理解可能なフォーマットで送信される。同時に、ＣＴＳ‐ｔｏ‐ｓｅｌｆフレームのＤｕｒａｔｉｏｎ（持続時間）領域がチャネル保留に必要な時間を表記する。通常、Ｄｕｒａｔｉｏｎ＝ａは、８０２．１１ｇに使う端末設備が一回のデータ交換に必要な総時間を表す。ＣＴＳ‐ｔｏ‐ｓｅｌｆフレームを送信してからＳＩＦＳ間隔を経つと、端末Ａは直ちにデータパケット（Ｄｕｒａｔｉｏｎ＝ｂはデータフレーム送信に必要な時間を示す）を送信する。図３には、端末Ａ付近の端末Ｂ、Ｃが端末Ａから送信したＣＴＳ‐ｔｏ‐ｓｅｌｆフレームを受信できる。８０２．１１ｂに使う端末ＢはＣＴＳ‐ｔｏ‐ｓｅｌｆフレームしか受信できない。端末ＢはＣＴＳ‐ｔｏ‐ｓｅｌｆフレームを受信したら、自身のネットワーク割当ベクトル（ＮＡＶ）値をaと設定し、バックオフ状態に入り、端末Ａのためにネットワークチャネルを保留する。つまり、端末Ｂはこの持続時間内にチャネルの接続を試みることをしない。８０２．１１ｇに使う端末Ｃにとっては、端末Ａから送信したＣＴＳ‐ｔｏ‐ｓｅｌｆフレームを受信できるし、端末Ａから送信したデータフレームも受信できる。８０２．１１ｇ規格によれば、端末ＣのＮＡＶも、Ｄｕｒａｔｉｏｎ＝ａとその自身のＮＡＶを比較してからその最大値によって更新される。従って、端末ＣはＣＴＳ‐ｔｏ‐ｓｅｌｆフレームを受信したら、そのＮＡＶ値をａに更新する。
【００１４】
この場合、端末Ａが今回のデータ送信を終了した後、端末Ｂが送信しようとするデータがある場合、８０２．１１ｇに使う端末が端末Ｂから送信する物理信号フォーマットを理解できるため、端末Ｂは、ＣＴＳ‐ｔｏ‐ｓｅｌｆフレームを送信する必要がなく、直接的にデータフレームを送信できる。ただし、８０２．１１ｇに使う端末Ｃはデータを送信する時に、その操作プロセスが端末Ａの操作プロセスと同じように、ＣＴＳ‐ｔｏ‐ｓｅｌｆフレームを送信する必要がある。
【００１５】
しかし、８０２．１１ｇ規格のＣＴＳ‐ｔｏ‐ｓｅｌｆ保護メカニズムが、ネットワークのスループットを下げることになる。スループットとはネットワークの単位時間でチャネルに成功裏に伝送される情報量である。混合ネットワークにおいて、保護メカニズムがネットワークオーバヘッドを増加し、８０２．１１ｇに使う設備のスループットを下げることになる。
【００１６】
８０２．１１ｂ／ｇ混合無線ＬＡＮを利用して音声業務をサポートする場合、８０２．１１ｇ規格の保護メカニズムによるネットワークオーバヘッドは音声業務の容量と品質を厳重に低減する。現在の無線ＬＡＮには８０２．１１ｂに使う端末が多く存在し、８０２．１１ｇネットワークを配置するときには、いつも既存の８０２．１１ｂに使う端末とのコンパチビリティ問題を考えなければならない。これによって、混合ネットワークでは、８０２．１１ｇに使う端末が前記保護メカニズムを使わなければならない。８０２．１１ｇの保護メカニズムは、すべての設備がＣＣＫ変調方式に従って制御信号を送信することを要求している。さらに、８０２．１１ｇに使う端末は一つのデータフレームを送信する前に、必ず一つのＣＴＳ‐ｔｏ‐ｓｅｌｆフレームを送信してデータ送信を保護する。これでチャネルの多くの帯域幅が実際業務内容と関連しない制御信号の送信に使われることになる。統計によれば、現在の８０２．１１ｂ／g混合無線ＬＡＮでは、音声業務を送信する場合、保護メカニズムによる信号オーバヘッドは７０％を占める。つまり、ネットワークにおける制御信号の送信時間が実際業務の送信時間より遥かに長い。
【００１７】
従って、現在の研究によれば、たとえ８０２．１１ｂに使う設備がチャネル競争に参加しなくでも、保護メカニズムを導入した８０２．１１ｇ無線ＬＡＮは、保護メカニズムを導入しない８０２．１１ｇ無線ＬＡＮと比べて、そのサポートされる双方向音声通信の回路数が７０％下がる。
【００１８】
現在の８０２．１１ｂ／ｇ混合無線ＬＡＮの制御オーバヘッド過大問題を解決するために、いろいろな方法が提案されたが、これらの方法は次のような問題がある。まず、これらの方法はネットワークがPCF機能を有することを要求する。しかし、現在ほとんどの商用設備がこの機能をサポートしない。従って、実際の応用には、従来の方法の利用可能性が低くなる。次に、従来の方法は、既に使用している８０２．１１ｇアクセスポイント（ＡＰ）を大きく変えることを要求する。これによって、コストが高く、速やかな配置に適しない。
【発明の概要】
【発明が解決しようとする課題】
【００１９】
本発明は、前述した既存技術の不足点を鑑みてなされたものであり、混合無線ネットワークにおける制御信号オーバヘッドの減少方法と装置を提供することを目的とする。これによって、無線チャネル予約制御フレーム、即ち、ＣＴＳ‐ｔｏ‐ｓｅｌｆフレームのオーバヘッドを減少して、８０２．１１ｂ／ｇ混合無線ＬＡＮの音声業務容量を向上できる。
【課題を解決するための手段】
【００２０】
本発明の一つの側面は、第一端末が混合無線ネットワークの無線フレームを受信して、前記受信した無線フレームが無線チャネル予約制御フレーム、即ちＣＴＳ‐ｔｏ‐ｓｅｌｆフレームであるかどうかを判断するステップと、受信した無線フレームがＣＴＳ‐ｔｏ‐ｓｅｌｆフレームである場合、第一端末はＣＴＳ‐ｔｏ‐ｓｅｌｆフレーム中の持続時間領域の値を読み取り、前記持続時間領域の値によって、前記第一端末のネットワーク割当ベクトルの代わりに、前記第一端末のチャネル保留時間タイマを更新するステップと、第一端末は、データフレームを送信する前に、チャネル保留時間タイマの余剰時間がデータフレームの送信に必要な時間より長いかどうかを判断するステップと、前記チャネル保留時間タイマの余剰時間がデータフレーム送信に必要な時間より長い場合、前記第一端末はＣＴＳ‐ｔｏ‐ｓｅｌｆフレームを送信しなく、直接的に前記データフレームを送信するステップとを含む混合無線ネットワークにおける制御信号オーバヘッドの減少方法を提供することである。
【００２１】
本発明のもう一つの側面は、送信するフレームのタイプを判断し、このフレームタイプ、及びこのタイプの業務の無線ネットワーク内の品質状況に応じて、対応する持続時間値及び関連するタイプ領域を設定する送信設備と、受信したフレームのタイプを判断するフレームタイプ識別装置と、チャネル保留時間タイマを設定しており、前記フレームタイプ識別装置から供給したフレームタイプを受信し、受信したフレームタイプがＣＴＳ‐ｔｏ‐ｓｅｌｆフレームである場合、前記第一端末のネットワーク割当ベクトルを更新しなく、前記持続時間領域値によって前記チャネル保留時間タイマを更新するＣＴＳ‐ｔｏ‐ｓｅｌｆフレーム処理装置と、混合無線ネットワーク中の端末からのデータフレームとＣＴＳ‐ｔｏ‐ｓｅｌｆフレームを受信し、受信したデータフレームのタイプ、及びこのタイプの業務の無線ネットワーク内の品質状況に応じて、対応するネットワーク割当ベクトルを更新する受信設備とを含む混合無線ネットワークにおける制御信号オーバヘッドを減少する装置を提供することである。
【発明の効果】
【００２２】
本発明の方法と設備によれば、チャネル保留時間タイマを導入した。第一無線ネットワーク（たとえば、８０２．１１ｇ）の第一端末（たとえば、８０２．１１ｇに使う端末や設備）は、ネットワーク内の音声業務のロード状況に応じて、ＣＴＳ‐ｔｏ‐ｓｅｌｆフレームに含まれるｄｕｒａｔｉｏｎ領域内の値を調整し、さらに、その設定値が既存規格で当該領域内の設定値より大きい。
【００２３】
なお、第一無線ネットワークの第一端末は、ＣＴＳ‐ｔｏ‐ｓｅｌｆフレームの送信を制御するために、ＣＴＳ‐ｔｏ‐ｓｅｌｆフレームを受信した後、自身の維持するチャネル保留時間タイマを更新するが、ＣＴＳ‐ｔｏ‐ｓｅｌｆフレームのｄｕｒａｔｉｏｎ領域内の値によって自身のネットワーク割当ベクトル（ＮＡＶ）を更新しない。それに、第一端末は、周辺ノードのデータフレームを検知して、ネットワーク内の音声業務のロード状況を判断する。
【００２４】
本発明によれば、８０２．１１ｇノード（第一端末）は、ＣＴＳ‐ｔｏ‐ｓｅｌｆフレームのｄｕｒａｔｉｏｎ領域値を大きくすることにより、ほかの８０２．１１ｇノードに対して保留保護を提供する。これによって、ほかの８０２．１１ｇノードは頻繁にＣＴＳ‐ｔｏ‐ｓｅｌｆフレームを送信する必要がなく、ネットワークの制御オーバヘッドを減少し、ネットワークの性能を向上する。
【図面の簡単な説明】
【００２５】
【図１】従来技術の分散制御機能（ＤＣＦ）のプロセスを示す。
【図２】従来技術のエンハンスメント分散制御機能（ＥＤＣＦ）のプロセスを示す。
【図３】混合無線ＬＡＮにＣＴＳ‐ｔｏ‐ｓｅｌｆフレームを加える時の制御メカニズムの原理を示す。
【図４】本発明の混合無線ネットワーク環境を応用する一実施例を示す。
【図５】本発明の実施例により混合無線ネットワークにおける制御信号オーバヘッドを減少する装置のブロック図である。
【図６】本発明の実施例により混合無線ネットワークの端末でＣＴＳ‐ｔｏ‐ｓｅｌｆフレームを受信する処理プロセスのフローチャートである。
【図７】本発明の実施例により混合無線ネットワークの端末でＣＴＳ‐ｔｏ‐ｓｅｌｆフレームを送信する処理プロセスのフローチャートである。
【発明を実施するための形態】
【００２６】
以下、本発明の実施例を、図面を参照しながら説明する。本発明への理解を混乱させないために、本発明にとって必要のない機能や構造についての詳しい説明を省略する。
【００２７】
以下、図面を参照しながら、例によって本発明を説明する。
【００２８】
図４は本発明の混合無線ネットワーク環境を応用する一実施例を示す。当該実施例には、８０２．１１ｇ規格を利用する無線ＬＡＮ（第一無線ＬＡＮとし、または、第一無線ネットワークと称する）と８０２．１１ｂ規格を利用する無線ＬＡＮ（第二無線ＬＡＮとし、または、第二無線ネットワークと称する）の混合無線ＬＡＮを例として、本発明の方法と装置を説明する。しかし、本発明はこれに限定されなく、ほかの規格の混合ネットワークにも適用できることは指摘すべきである。
【００２９】
図４に示すように、８０２．１１ｂ／ｇ混合無線ＬＡＮの内には、仮に、一つのアクセスポイント（ＡＰ）、Ｍ個の８０２．１１ｇに使う音声端末（第一端末とし、または、８０２．１１ｇ端末やノードと称する）、及びＮ個の８０２．１１ｂに使うデータ端末（第二端末とし、または、８０２．１１ｂ端末やノードと称する）がある。ＡＰが８０２．１１ｇをサポートし、即ち、ＡＰが８０２．１１ｇのノードでもある。本発明によれば、ネットワーク端末には、チャネル保留時間タイマを加えた。
【００３０】
本発明によれば、無線ＬＡＮにおいて、依然としてＤＣＦやＥＤＣＦの基本ランダム接続制御メカニズムを利用している。本発明によれば、チャネル保留時間タイマを利用して、無線チャネル予約制御フレームによってチャネル予約を実現する。ＤＣＦやＥＤＣＦの制御メカニズムには、従来規格で定義するＣＴＳ‐ｔｏ‐ｓｅｌｆフレームを無線チャネル予約制御フレームとしてチャネル予約を実現できる。本発明はこれに限定されなく、ほかのフレームを無線チャネル予約制御フレームとしてもよいことは指摘すべきである。
【００３１】
８０２．１１ｇノードが無線チャネル予約制御フレーム、即ち、ＣＴＳ‐ｔｏ‐ｓｅｌｆフレームを受信すると、再びそのｄｕｒａｔｉｏｎ領域の値によって自身のネットワーク割当ベクトル（ＮＡＶ）値を更新しない。その代わりに、この値によってチャネル保留時間タイマを更新し、データフレームを送信する前に、当該タイマの値によってＣＴＳ‐ｔｏ‐ｓｅｌｆフレームを送信して保護するかどうかを判断する。
【００３２】
具体的に、混合ネットワーク内の８０２．１１ｇノードがほかのノードからのＣＴＳ‐ｔｏ‐ｓｅｌｆフレームを受信すると、このフレームのｄｕｒａｔｉｏｎ領域の値を読み取り、この値によって自身維持のチャネル保留時間タイマを更新する。しかし、そのＮＡＶは変わらない。言い換えれば、８０２．１１ｇノードが受信したＣＴＳ‐ｔｏ‐ｓｅｌｆフレーム内のｄｕｒａｔｉｏｎ領域に含まれる値によってその自身のＮＡＶを更新することはない。逆に、８０２．１１ｇノードがＣＴＳ‐ｔｏ‐ｓｅｌｆフレームを受信した後、伝統的な規格によりそのＮＡＶを更新する。送信したＣＴＳ‐ｔｏ‐ｓｅｌｆフレームの非目標ノードとする８０２．１１ｇノードがＡＰにデータを送信しようとする場合、まずその維持するチャネル保留時間タイマのカウンタ値を読み取る。そのカウンタ値が８０２．１１ｇノードの今回データ送信に必要な時間より小さくなければ、８０２．１１ｇノードは、事前にＣＴＳ‐ｔｏ‐ｓｅｌｆフレームを送信して今回のデータ送信を保護する必要がなく、有効に余剰の保留時間を利用して直接的にデータフレームを送信することができる。逆に、８０２．１１ｇノードが読み取ったチャネル保留時間タイマのカウンタ値が今回のデータ送信に必要な時間より小さい場合、８０２．１１ｇノードは、事前にＣＴＳ‐ｔｏ‐ｓｅｌｆフレームを送信してからデータフレームを送信する必要がある。
【００３３】
なお、８０２．１１ｇノードは、ＣＴＳ‐ｔｏ‐ｓｅｌｆフレームを送信する前に、現在のネットワークの音声業務ロード状況に応じてｄｕｒａｔｉｏｎ領域の値を設定しなければならない。本発明によれば、８０２．１１ｇノードが設定したｄｕｒａｔｉｏｎ領域の値は、今回のデータ送信に必要な時間より長い。言い換えれば、本発明の方法によれば、ＣＴＳ‐ｔｏ‐ｓｅｌｆフレーム内のｄｕｒａｔｉｏｎ領域の値は、伝統的な規格での設定値より高い。
【００３４】
図５は本発明により混合無線ネットワークにおける制御信号オーバヘッドを減少するネットワーク端末の一実施例のブロック図である。本発明の端末装置によれば、８０２．１１ｂノードに対して変更する必要がなく、８０２．１１ｇノードのみに対して変更する。
【００３５】
図５に示すように、本発明の移動端末装置は、送信設備１００、受信設備２００、ＣＴＳ‐ｔｏ‐ｓｅｌｆフレーム処理装置３００とフレームタイプ識別装置４００を含む。その中に、送信設備１００は送信記憶装置１０１、チャネル接続装置１０２と送信装置１０３を含む。受信設備２００はチャネル検知装置２０１、受信装置２０２と受信処理装置２０３を含む。
【００３６】
本発明によれば、端末装置はまたＤＣＦやＥＤＣＦの基本ランダム接続制御メカニズムを利用できる。送信端末がデータフレームを送信する前に、まず、データフレームのタイプを判断することが必要となる。そして、送信フレームのタイプ、および無線ネットワークの当該業務の品質状況に応じて、対応する持続時間（ｄｕｒａｔｉｏｎ）値と関連するタイプ領域とを設定する。
【００３７】
具体的に、送信設備１００では、送信記憶装置１０１が高位層から到達するデータパケットを記憶する。送信したいデータパケットが送信記憶装置１０１に到達すると、送信記憶装置１０１は、まずこのパケットのタイプを判断する。そして、送信記憶装置１０１は対応する方式でデータパケットをデータフレーム（ＤＡＴＡフレーム）にカプセル化して、チャネル接続装置１０２に供給する。チャネル接続装置１０２は当該送信端末がチャネルに接続できるかどうかを判断する。実施例として、チャネル接続装置１０２は８０２．１１ＤＣＦ規格に従い、ＣＳＭＡ／ＣＡプロトコルを利用して、当該送信端末がチャネルに接続できるかどうかを判断する。チャネル接続装置１０２がチャネル接続の条件を満たすことを指示すれば、送信装置１０３はＤＡＴＡフレームを送信する。
【００３８】
なお、当該移動端末が無線ネットワークのほかのノードからのＤＡＴＡフレームを受信すると、受信処理装置２０３はＤＡＴＡフレームを成功裏に受信したことを指示し、さらに、ＤＡＴＡフレームの受信端末アドレス（ＲＡ）領域が本端末と同じの場合、ＡＣＫフレームを送信する。
【００３９】
受信設備２００に含まれるチャネル検知装置２０１は、本移動端末がデータフレームを送信しない場合、無線ネットワークにおけるチャネルを検知する。チャネルがビジーであると検知すれば、受信装置２０２を起動してデータの受信を用意する。
【００４０】
受信装置２０２は、無線チャネルからのデータを受信し、受信したデータを受信処理装置２０３に送信して判断する。受信処理装置２０３は、データパケットを成功裏に受信したかどうか、および受信したデータパケットのタイプを判断する。なお、受信処理装置２０３は処理結果によって次の操作を指示する。具体的に、受信処理装置２０３がＤＡＴＡパケットを成功裏に受信し、かつ、本端末のアドレスがＤＡＴＡパケットのＲＡ領域のアドレスと一致することを指示すれば、送信装置１０３を起動してＡＣＫパケットの送信を用意する。受信処理装置２０３がＤＡＴＡパケットを成功裏に受信したが、本端末のアドレスがＤＡＴＡパケットのＲＡ領域のアドレスと一致しないことを指示すれば、ＤＡＴＡパケットのタイプ領域と持続時間領域をフレームタイプ識別装置４００に伝達する。受信処理装置２０３がＡＣＫパケットを成功裏に受信し、かつ、本端末のアドレスがＡＣＫパケットのＲＡ領域のアドレスと一致することを指示すれば、ＡＣＫパケットの持続時間領域の値が０であるかどうかを検出する。持続時間領域の値が０であれば、伝達終了を意味する。０でなければ、送信装置１０３を起動して後のデータパケットの送信を用意する。もし受信処理装置２０３がＡＣＫパケットを成功裏に受信したが、本端末のアドレスがＡＣＫパケットのＲＡ領域のアドレスと一致しないことを指示すれば、ＡＣＫパケットの持続時間領域をフレームタイプ識別装置４００に伝達する。
【００４１】
フレームタイプ識別装置４００は、受信処理装置２０３から提供したフレームタイプを判断する。受信したフレームがＣＴＳ‐ｔｏ‐ｓｅｌｆフレームであれば、それをＣＴＳ‐ｔｏ‐ｓｅｌｆフレーム処理装置３００に渡して処理する。受信したフレームがほかのフレームであれば、伝統的な８０２．１１ｇ規格によって処理する。
【００４２】
ＣＴＳ‐ｔｏ‐ｓｅｌｆフレーム処理装置３００はフレームタイプ識別装置４００からのＣＴＳ‐ｔｏ‐ｓｅｌｆフレーム内のｄｕｒａｔｉｏｎ領域の値を受信する。ＣＴＳ‐ｔｏ‐ｓｅｌｆフレーム処理装置３００にはチャネル保留時間タイマを設定している。ＣＴＳ‐ｔｏ‐ｓｅｌｆフレーム処理装置３００は、ＣＴＳ‐ｔｏ‐ｓｅｌｆフレーム内のｄｕｒａｔｉｏｎ領域の値によって当該端末自身のチャネル保留時間タイマを更新し、タイマのカウンタ状況に応じてＣＴＳ‐ｔｏ‐ｓｅｌｆフレームの送信を制御する。ここで、８０２．１１ｇノードが従来技術のようにこの値によって自身のＮＡＶを更新しない。
【００４３】
本発明によれば、ＣＴＳ‐ｔｏ‐ｓｅｌｆフレーム内のｄｕｒａｔｉｏｎ領域の設定値が８０２．１１ｇノードの一回のデータ送信に必要な時間より遥かに長い。伝統的な８０２．１１ｇに従うと、ｄｕｒａｔｉｏｎ領域の設定値が８０２．１１ｇノードの一回データ送信に必要な時間となることを指摘すべきである。
【００４４】
本発明によれば、８０２．１１ｇノードがチャネルを利用してデータを送信する時に、当該ノードはＣＴＳ‐ｔｏ‐ｓｅｌｆフレームを送信してチャネルを保留する。当該８０２．１１ｇノードのチャネル保留時間がその自身のデータを交換するに必要な時間より長い。この場合、当該８０２．１１ｇノードの通信範囲内の８０２．１１ｇノードにとって、ＣＴＳ‐ｔｏ‐ｓｅｌｆフレームを受信した後その中のｄｕｒａｔｉｏｎ領域の値を読み取る。ｄｕｒａｔｉｏｎ領域の値が大きいため、８０２．１１ｇノードが大きいｄｕｒａｔｉｏｎ領域の値によって自身のＮＡＶの値を更新する。これによって、８０２．１１ｇノードが割り合い長い時間のバックオフをする。このバックオフプロセスにおいて、８０２．１１ｇノードがチャネル接続を試みすることがない。ネットワークで送信したＣＴＳ‐ｔｏ‐ｓｅｌｆフレームの当該８０２．１１ｇノード周期のほかの８０２．１１ｇノードがＣＴＳ‐ｔｏ‐ｓｅｌｆフレームを受信すると、ＣＴＳ‐ｔｏ‐ｓｅｌｆフレームのｄｕｒａｔｉｏｎ領域の値によって自身のＮＡＶの値を更新しなく、そのｄｕｒａｔｉｏｎ領域の値を無視して、ＣＴＳ‐ｔｏ‐ｓｅｌｆフレームの後のデータフレームのｄｕｒａｔｉｏｎ領域の値（たとえば、前述したｄｕｒａｔｉｏｎv＝ｂ）によって自身のＮＡＶの値を更新する。この場合、ほかの８０２．１１ｇノードは８０２．１１ｂノードよりバックオフ時間が遥かに短く、８０２．１１ｂノードのバックオフ時間との間に差分が存在する。この時間差分において、混合ネットワーク内のほかの８０２．１１ｇノードは、データフレームを送信する前に、ＣＴＳ‐ｔｏ‐ｓｅｌｆフレームを送信する必要がなく、直接的にデータフレームを送信してもよい。従って、制御フレームのオーバヘッドを省くことができる。
【００４５】
なお、混合ネットワーク内のほかの８０２．１１ｇノードは、ＣＴＳ‐ｔｏ‐ｓｅｌｆフレームのｄｕｒａｔｉｏｎ領域の設定値によって自身のチャネル保留時間タイマを更新する。ほかの８０２．１１ｇノードがデータフレームを送信したい時に、チャネル保留時間タイマの余剰時間をデータフレームの送信に必要な時間と比較する。チャネル保留時間タイマの余剰時間がデータフレームの送信に必要な時間より長ければ、ＣＴＳ‐ｔｏ‐ｓｅｌｆフレームを送信する必要がなく、直接的にデータフレームを送信する。逆に、チャネル保留時間タイマの余剰時間がデータフレームの送信に必要な時間より長くなければ、ＣＴＳ‐ｔｏ‐ｓｅｌｆフレームを送信してから、従来の規格によってデータフレームを送信する。
【００４６】
次に図６と７を参照しながら、混合無線ＬＡＮにおける端末のＣＴＳ‐ｔｏ‐ｓｅｌｆフレーム受信と送信の処理プロセスを説明する。
【００４７】
図６は本発明の実施例により混合無線ＬＡＮの８０２．１１ｇ端末でＣＴＳ‐ｔｏ‐ｓｅｌｆフレームを受信する処理プロセスのフローチャートである。図６に示すように、ステップＳ６０１では、混合無線ＬＡＮの８０２．１１ｇノードが無線フレームを受信すると、受信した無線フレームがＣＴＳ‐ｔｏ‐ｓｅｌｆフレームであるかどうかを判断する。受信した無線フレームがＣＴＳ‐ｔｏ‐ｓｅｌｆフレームである場合、ステップＳ６０２へ進む。８０２．１１ｇノードは、ｄｕｒａｔｉｏｎ領域の値によって自身のＮＡＶを更新しなく、受信したＣＴＳ‐ｔｏ‐ｓｅｌｆフレームのｄｕｒａｔｉｏｎ領域の値によって自身のチャネル保留時間タイマを更新する。つまり、８０２．１１ｇノードのＮＡＶを変化させない。次の式（１）によってチャネル保留時間タイマのカウント値を更新できる。
【００４８】
Ｎｅｗ＿Ｃｏｕｎｔｅｒ＿Ｖａｌｕｅ＝ＭＡＸ（Ｃｕｒ＿Ｄｕｒａｔｉｏｎ＿Ｖａｌｕｅ，  Ｃｕｒ＿Ｃｏｕｎｔｅｒ＿Ｖａｌｕｅ）・・・（１）
Ｎｅｗ＿Ｃｏｕｎｔｅｒ＿Ｖａｌｕｅがチャネル保留時間タイマの更新値、Ｃｕｒ＿Ｄｕｒａｔｉｏｎ＿Ｖａｌｕｅが受信したＣＴＳ‐ｔｏ‐ｓｅｌｆフレームのｄｕｒａｔｉｏｎ領域が指示する値、Ｃｕｒ＿Ｃｏｕｎｔｅｒ＿Ｖａｌｕｅが時間保留タイマの現在のカウント値である。タイマの単位が、たとえばμsである。カウント方法が伝統的な８０２．１１ｇ規格のＮＡＶに似ている。即ち、一定の時間間隔ごとにタイマから対応する値を減らす。たとえば、タイマが更新を終了して、１０μs経つと、タイマは現在のカウンタ値から１０を減らす。
【００４９】
なお、ステップＳ６０１で、受信した無線フレームがＣＴＳ‐ｔｏ‐ｓｅｌｆフレームでないと判断する場合、ステップＳ６０３に進み、その他のノードがデータフレームを送信する時においてバックオフプロセスを実行するように、伝統的な８０２．１１ｇ規格に従って、受信した無線フレーム中のｄｕｒａｔｉｏｎ領域が指示する値によって自身のＮＡＶを更新する。
【００５０】
また、指摘すべきこととして、混合無線ＬＡＮの８０２．１１ｂノードにとっては、ＣＴＳ‐ｔｏ‐ｓｅｌｆフレームを受信すると、当該ノードは、８０２．１１ｇノードがデータフレームを送信するプロセスにおいてバックオフ状態にあるように、従来の方式でｄｕｒａｔｉｏｎ領域が指示する値によって自身のＮＡＶを更新する。
【００５１】
図７は本発明の実施例により混合無線ＬＡＮにおける端末でＣＴＳ‐ｔｏ‐ｓｅｌｆフレームを送信する処理プロセスのフローチャートである。図７に示すように、ステップＳ７０１では、混合無線ＬＡＮにおける８０２．１１ｇノードがデータフレームを送信する前に、まずＣＴＳ‐ｔｏ‐ｓｅｌｆフレーム処理装置３００に設定したチャネル保留時間タイマの現在のカウンタ値（即ち、余剰時間）を読み取り、チャネル保留時間タイマの現在のカウンタ値がデータフレーム送信に必要な時間より長いかどうかを判断する。ステップＳ７０１で当該カウンタ値は当該８０２．１１ｇノードの今回のデータフレーム送信に必要な時間より長いと判断すれば、ステップＳ７０２へ進む。ステップＳ７０２で、８０２．１１ｇノードが直接的にデータフレームを送信する。逆に、ステップＳ７０１で当該カウンタ値が当該８０２．１１ｇノードのデータフレーム送信に必要な時間より長くないと判断すれば、ステップＳ７０３へ進む。ステップＳ７０３で、８０２．１１ｇノードがネットワーク内の業務ロード状況に応じてＣＴＳ‐ｔｏ‐ｓｅｌｆフレーム内のｄｕｒａｔｉｏｎ領域の値を設定する。そして、ステップＳ７０４で、８０２．１１ｇノードが、ｄｕｒａｔｉｏｎ領域の値を設定したＣＴＳ‐ｔｏ‐ｓｅｌｆフレームを送信する。次に、ステップＳ７０５で、８０２．１１ｇノードが、次の式（２）によって自身のチャネル保留時間タイマのカウント値を更新する。
【００５２】
Ｎｅｗ＿Ｃｏｕｎｔｅｒ＿Ｖａｌｕｅ＝Ｐｒｏｔｅｃｔｉｏｎ＿Ｄｕｒａｔｉｏｎ＿Ｖａｌｕｅ・・・（２）
Ｐｒｏｔｅｃｔｉｏｎ＿Ｄｕｒａｔｉｏｎ＿Ｖａｌｕｅがこの８０２．１１ｇノードのＣＴＳ‐ｔｏ‐ｓｅｌｆフレームのｄｕｒａｔｉｏｎ領域内の設定値である。また、次の式（３）で前記Ｐｒｏｔｅｃｔｉｏｎ＿Ｄｕｒａｔｉｏｎ＿Ｖａｌｕｅを計算することができる。
【００５３】
Ｐｒｏｔｅｃｔｉｏｎ＿Ｄｕｒａｔｉｏｎ＿Ｖａｌｕｅ＝Ｍ＊（ＯＲＩ＋ＡＢＤ）・・・（３）
Ｍが混合無線ネットワーク中の８０２．１１ｇノードの個数、ＯＲＩが８０２．１１ｇノードの今回の送信に必要な時間、ＡＢＤが８０２．１１ｇノードの平均バックオフ時間である。ＡＢＤの値が（ＣＷmin+ＣＷmax）＊Ｔｉｍｅ＿Ｓｌｏｔ／２と示す。その中に、Ｔｉｍｅ＿Ｓｌｏｔがシングルタイムスロットの長さであり、ＣＷminが最小コンテンションウインドウを示し、ＣＷmaxが最大コンテンションウインドウを示す。上記の式（３）はＰｒｏｔｅｃｔｉｏｎ＿Ｄｕｒａｔｉｏｎ＿Ｖａｌｕｅを設定する方法の一つの実施例である。しかし、本発明はこれに限定されない。実際の応用では、８０２．１１ｇノードは、ほかの方法でＣＴＳ‐ｔｏ‐ｓｅｌｆフレームのｄｕｒａｔｉｏｎ領域内の値を設定してもよい。即ち、式（３）の制限を受けず、設定した値がｄｕｒａｔｉｏｎ領域での許容最大値より小さければよい。ステップＳ７０５で、自身のチャネル保留時間タイマのカウント値を更新すれば、ステップＳ７０２へ進み、８０２．１１ｇノードがデータフレームを送信する。
【００５４】
本発明の方法によれば、ＣＴＳ‐ｔｏ‐ｓｅｌｆフレームのｄｕｒａｔｉｏｎ領域を大きい値に設定する。８０２．１１ｇノードの時間保留タイマの余剰時間がデータフレーム送信に必要な時間より長ければ、ＣＴＳ‐ｔｏ‐ｓｅｌｆフレームを送信する必要がなく、直接的にデータフレームを送信する。したがって、大いに制御フレームのオーバヘッドを減少した。シミュレーションで分かるように、本発明の方法によれば、８０２．１１ｂ／g混合ＬＡＮにおいて、ＶｏＩＰの音声容量を１００％向上した。それに、８０２．１１ｂデータ端末のスループットも１００％向上した。
【００５５】
伝統的８０２．１１ｇ規格及び改善方法に比べると、本発明の方法と装置は、制御フレームのオーバヘッドをよく減少して、無線ＬＡＮ内の音声業務品質を改善し、ネットワークの音声容量を向上する。また、ネットワークのデータ業務におけるスループットも有効に向上する。
【００５６】
本発明は、良好な柔軟性と丈夫性を有し、実現が簡単で、バックワードコンパチビリティをサポートする。本発明は８０２．１１ｇのみを変えればよい。なお、本発明の方法は、柔軟的に拡張することができる。本方法は、ｄｕｒａｔｉｏｎ領域内の値を厳密に要求しなく、ｄｕｒａｔｉｏｎ領域での許容最大値内であれば、本方法が正常に動作することができる。また、本方法は、音声業務だけでなく、ネットワーク内のほかの業務品質改善にも適用できる。
【００５７】
以上のように、実施例を結合して本発明を説明した。本分野の技術者らが本発明の精神と範囲を超えない場合、各種の変形、置換、及び追加を行えることは理解すべきである。したがって、本発明の範囲は、上記特定の実施例に限ることがなく、請求項によって制限されるべきである。
【図１】
2009278622.tif 000003
【図２】
2009278622.tif 000004
【図５】
2009278622.tif 000005
【図６】
2009278622.tif 000006
【図７】
2009278622.tif 000007
【図３】
2009278622.tif 000008
【図４】
2009278622.tif 000009